(57)【要約】  靴本体に収容されて固定される支持本体と、前記支持本体にねじ結合するスライダーと、前記スライダーの上端に結合し、靴内部に突出して足弓に接触する接触部材と、を含み、前記接触部材の回転によって前記スライダーが昇降する足弓支持体を具備した機能性靴が開示される。【選択図】図１
2012517318.tif 000002
【特許請求の範囲】
【請求項１】
足弓支持体を具備した機能性靴であり、
前記足弓支持体は、
足の裏の足弓に対応する位置で靴本体に挿入されて固定される支持本体と、
前記支持本体にねじ結合して回転によって昇降するスライダーと、 
前記スライダーの上端に結合し、靴内部に突出して前記足の裏の足弓に接触する接触部材と、を含む機能性靴。
【請求項２】
前記支持本体は内部にねじ山が形成されたシリンダー状を具備し、前記スライダーは前記支持本体の内部に差し込まれる請求項１に記載の機能性靴。 
【請求項３】
前記接触部材は、半球状を具備し、ゴム材質で形成される請求項１に記載の機能性靴。 
【請求項４】
前記接触部材は前記スライダーに分離可能に結合し、
前記接触部材が分離されたスライダーの回転によって前記スライダーが昇降する請求項１に記載の機能性靴。 
【請求項５】
前記接触部材は、前記足の裏の足弓に対応する形状を有する請求項４に記載の機能性靴。
【請求項６】
前記接触部材において、前記スライダーと結合する面に一対の支持ロッドが突出され、前記靴本体に差し込まれる請求項１に記載の機能性靴。
【請求項７】
足弓支持体を具備した機能性靴であり、 
前記足弓支持体は、 
足裏の足弓に対応する位置で靴本体に挿入されて固定されるシリンダー状のハウジングと、
前記ハウジングの内部に固定され、ヘッドが下に位置するボルトと、
前記ハウジングの内部でスライドが可能に差し込まれて昇降し、その内部に前記ボルトがねじ結合するシリンダー状のスライダーと、
前記スライダーの上端に結合し、靴内部に突出して前記足の裏の足弓に接触する接触部材と、を含み、
外部で前記靴本体の底を介して前記ボルトのヘッドを回転させ、前記スライダーを昇降させる機能性靴。
【請求項８】
前記接触部材において、前記スライダーと結合する面に一対の支持ロッドが突出され、前記靴本体に差し込まれる請求項７に記載の機能性靴。 
【請求項９】
足弓支持体を具備した機能性靴であり、 
前記足弓支持体は、 
足の裏の足弓に対応する位置で靴本体に挿入されて肯定されるシリンダー状のハウジングと、
前記ハウジングの内部にスライドが可能に差し込まれて昇降するシリンダー状のスライダーと、
前記スライダーの内部に差し込まれてねじ結合する高さ調節タブと、
前記スライダーの上端に結合し、靴内部に突出して前記足の裏の足弓に接触する接触部材と、を含み、
前記高さ調節タブが前記スライダーから突出される長さを調節することで前記スライダーが昇降する機能性靴。
【請求項１０】
前記接触部材において、前記スライダーと結合する面に一対の支持ロッドが突出され、前記靴本体に差し込まれる請求項９に記載の機能性靴。 
【請求項１１】
足弓支持体を具備した機能性靴であり、 
前記足弓支持体は、 
靴内部に突出して足の裏の足弓に接触する接触部材と、 
前記接触部材の裏面に結合するシリンダー状のスライダーと、
前記スライダーの内部に差し込まれてねじ結合する高さ調節タブと、を含み、 
靴本体には前記足弓支持体を収容する収容溝が形成され、前記収容溝の入口の側壁には前記接触部材の縁が強制に差し込まれる支持溝が前記側壁を沿って形成され、
前記高さ調節タブが前記スライダーから突出される長さを調節することで、前記足弓支持体の高さを調節する機能性靴。
【発明の詳細な説明】
【技術分野】
【０００１】
本発明は機能性靴に関するものであり、特に高さの調節が可能な足弓支持体を適用した機能性靴に関するものである。
【背景技術】
【０００２】
一般的に、靴は歩行の際体重によって伝わる衝撃力が脊椎などに伝達されることを緩和する役割を果たす。
【０００３】
最も理想的は歩行方法としては、かかとから足裏、足の親指の付け根の部分の順で、地を踏んで前に進みながら歩行をするいわゆる「３拍子」歩行法が知られている。
【０００４】
しかし、従来の靴は平面からなる靴底を適用しており、歩行の際かかとに体重による荷重が集中されて脊椎などに衝撃力が伝達されることで、腰、肩、首などに負担をかけるようになって痛みを誘発させるだけでなく、足の指が変形され、足の連結部位が支持されず偏平足を引き起こし、３拍子歩行ができなくなるため、疲労が増加するなど様々な問題点を持っていた。
【０００５】
このような問題点を解決するために、特許文献１では、靴底の前部分と裏部分にそれぞれ前面及び裏面切開部を形成し、歩行の際３拍子歩行が自然に行われるようにすることで疲労感が著しく減少すると共に指圧及び血液循環作用が行われるようにしたが、足のアーチ（足弓）が支持されず、裏面切開部によって裏面が地面に触れる面積が小さくなり、身体の均衡を取れなくなるなどの問題点があった。
【０００６】
特許文献２では、靴の後のかかとを２段に斜めに形成して第１接地面と第２接地面を有するようにすると共に、靴の前のかかとと後のかかとの境界部及び第１接地面と第２接地面の境界部に底面を所定の深さで上向きに凹入されるようにしたことで、歩行の際３拍子歩行が正確に行われるようにしたが、足のアーチが支持されないという問題点があった。
【０００７】
このような問題点を解決するために、特許文献３では、靴底の連結部に足弓支持体が挿入されるようにすることで、使用者が歩行の際足のアーチを補正するようにして正しい足の発達を誘導し、足のローリング運動が自然に維持されるようにし、体重による荷重を分散させるようにして疾病と足の変形が予防されるようにしたものであり、前半部、後半部及び前半部と後半部を連結する連結部で構成される靴底において、連結部には足弓支持体が挿入され、足弓支持体は連結部の内側端部から中央部まで位置されるように挿入される靴底を開示している。
【０００８】
しかし、足弓支持体の高さの決められているため、人によってサイズが異なる足弓に全て合わせることが難しいという問題点がある。
【先行技術文献】
【特許文献】
【０００９】
【特許文献１】大韓民国登録特許第２３９８５４号
【特許文献２】大韓民国登録特許第５３６０５０号
【特許文献３】大韓民国登録特許第８５１５３７号
【発明の概要】
【発明が解決しようとする課題】
【００１０】
従って、本発明の目的は、足弓支持体の高さを可変できる機能性靴を提供することである。
【課題を解決するための手段】
【００１１】
前記の目的は、足弓支持体を具備し、前記足弓支持体が靴本体に収容されて固定される支持本体と、前記支持本体にねじ結合するスライダーと、前記スライダーの上端に結合し、靴内部に突出して足弓に接触する接触部材と、を含み、前記接触部材の回転によって前記スライダーが昇降する機能性靴によって達成される。
【００１２】
好ましくは、前記支持本体は内部にねじ山が形成されたシリンダー状を具備し、前記スライダーは前記支持本体の内部に差し込まれてもよい。
【００１３】
好ましくは、前記接触部材は半球状を具備し、ゴム材質で形成されてもよい。
【００１４】
前記の目的は、足弓支持体を具備し、前記足弓支持体が靴本体に収容されて固定される支持本体と、前記支持本体にねじ結合するスライダーと、前記スライダーの上端に分離可能に結合し、靴内部に突出して足弓に接触する接触部材と、を含み、前記接触部材と分離されたスライダーの回転によって前記スライダーが昇降する機能性靴によって達成される。
【００１５】
また、前記の目的は、足弓支持体を具備し、前記足弓支持体が靴本体に収容されて固定されるシリンダー状のハウジングと、前記ハウジングの内部に差し込まれて昇降するシリンダー状のスライダーと、前記スライダーの内部に差し込まれてねじ結合するボルトと、前記スライダーの上端に結合し、靴内部に突出して足弓に接触する接触部材と、を含み、外部から前記靴本体の底を介して前記ボルトを回転させて前記スライダーを昇降させる機能性靴によって達成される。
【００１６】
また、前記の目的は、足弓支持体を具備し、前記足弓支持体が靴本体に収容されて固定されるシリンダー状のハウジングと、前記ハウジングの内部に差し込まれて昇降するシリンダー状のスライダーと、前記スライダーの内部に差し込まれてねじ結合する高さ調節タブと、前記スライダーの上端に結合し、靴内部に突出して足弓に接触する接触部材と、を含み、前記高さ調節タブが前記スライダーから突出される長さを調節することで、前記スライダーが実質的に昇降されるようにする機能性靴によって達成される。
【００１７】
前記の構成において、前記接触部材は足弓と類似した形状を有してもよく、好ましくは、前記スライダーと結合する面に一対の支持ロッドが突出されて前記靴本体に差し込まれてもよい。
【００１８】
また、前記の目的は、足弓支持体を具備し、前記足弓支持体が靴内部に突出されて足弓に接触する接触部材と、前記接触部材の裏面に結合するシリンダー状のスライダーと、前記スライダーの内部に差し込まれてねじ結合する高さ調節タブと、を含み、靴本体には前記足弓支持体を収容する収容溝が形成され、前記収容溝の入口には前記接触部材の縁が強制に差し込まれる支持溝が前記収容溝の側壁を沿って形成され、前記高さ調節タブが前記スライダーから突出される長さを調節することで、前記足弓支持体の高さを実質的に調節する機能性靴によって達成される。
【発明の効果】
【００１９】
前記の構造によると、着用者の足弓サイズに関係なく、適切な高さの足弓支持体を提供することができる。
【図面の簡単な説明】
【００２０】
【図１】本発明の第１実施例による機能性靴の足弓支持体を適用した状態を示す図である。
【図２】図１に適用される足弓支持体２００を示す断面図及び斜視図である。
【図３】本発明の第２実施例による足弓支持体を示す断面図である。
【図４】本発明の第３実施例による足弓支持体を示す斜視図及び断面図である。
【図５】本発明の第４実施例による足弓支持体を示す斜視図である。
【図６】本発明の第５実施例による足弓支持体を示す断面図である。
【図７】本発明の第５実施例の変形例を示す斜視図である。
【発明を実施するための形態】
【００２１】
以下、添付した図面を参照して本発明の実施例を説明する。
【００２２】
＜第１実施例＞
図１は、本発明の第１実施例による機能性靴の足弓支持体を適用した状態を示す図である。
【００２３】
示したように、下部にアウトソール（ｏｕｔｓｏｌｅ）１００が位置し、アウトソール１００の上にミッドソール（ｍｉｄｓｏｌｅ）１３０、インソールボード１４０、インソール（ｉｎｓｏｌｅ）１５０が積層される。
【００２４】
本発明によると、着用者の足弓に対応するインソールボード１４０とミッドソール１３０、そしてアウトソール１００を連通する収容溝１４２、１３２、１０２が形成され、この収容溝１４２、１３２、１０２に順番に足弓支持体２００が差し込まれる。
【００２５】
最も上に位置するインソール１５０には足弓支持体２００に対応する部分に開口１５２を形成し、足弓支持体２００の接触部材２３０が露出されるようにしてもよい。これとは異なって、開口を形成しないことで外観をきれいにしてもよい。この場合、インソール１５０の足弓支持体２００の接触部材２３０に対応する部分の厚さを薄くし、足弓支持体２００の接触部材２３０との接触感を高くするか、接触部材２３０の昇降を円滑にしてもよい。
【００２６】
図２は、図１に適用される足弓支持体２００を示す断面図及び斜視図である。足弓支持体２００は、内部側壁にねじ山２１２が形成されたシリンダー状のハウジング２１０、ねじ山２２２が外側壁に形成されてハウジング２１０のねじ山２１２にねじ結合するスライダー２２０、及びスライダー２２０の上部に結合する接触部材２３０で形成される。
【００２７】
好ましくは、ハウジング２１０の外側壁にはストッパー２１４が形成され、ハウジング２１０の回転を防止するようにしてもよく、ハウジング２１０は、例えば、金属やプラスチック材質で構成されてもよい。このような構造のハウジング２１０は、上述したように、収容溝１４２、１３２、１０２にかけて強制に圧入されて固定されてもよい。好ましくは、アウトソール１００にはストッパー２１４が収納される収納溝１０２ａが形成される。
【００２８】
また、スライダー２２０は、円柱状で金属又はプラスチック材質で形成されてもよい。スライダー２２０の上部には、大略半球状のヘッド２２４が一体に形成されて接触部材２３０と結合する。スライダー２２０と接触部材２３０の結合は、接着剤によって完全に接着させるか、接触部材２３０がスライダー２２０から分離できるように結合されてもよい。
【００２９】
接触部材２３０は着用者の足弓に直接接触する部分であり、例えば、半球状でシリコンなどのゴム材質で表面全体に突起２３２が形成されてもよい。好ましくは、接触部材２３０の縁は、多段の段差部２３１を形成して傾斜を緩慢にすると共に、最も端部分の肉を薄くして極柔軟にすることで、インソールボード１４０との境界で隙間が大きくならないようにしてもよい。
【００３０】
このような構造を有する足弓支持体２００の組立方法を説明すると、アウトソール１００とミッドソール１３０及びインソールボード１４０が積層された状態で、ハウジング２１０を収容溝１４２、１３２、１０２に順番にかけて強制に圧入して固定する。
【００３１】
次に、接触部材２３０のが上部に結合されているスライダー２２０をハウジング２１０に差し込んだ後、接触部材２３０を手で取って回すとスライダー２２０のねじ山２２２とハウジング２１０のねじ山２１２がねじ結合し、スライダー２２０が下降する。
【００３２】
スライダー２２０が最下部位置まで下降すると、最終的にインソール１５０を積層する。
【００３３】
このように組み立てられて製造された最終靴製品を着用者が購入した後、自分の足弓のサイズに合うように足弓支持体２００の高さを調節することができる。即ち、手で足弓支持体２００の接触部材２３０を取って回すと、ハウジング２１０にねじ結合されたスライダー２２０が上昇するようになるため、自分の足弓のサイズに合わせた高さに固定することができる。
【００３４】
このような構造によると、着用者の足弓のサイズに関係なく、適切な高さの足弓支持体を提供することができる。
【００３５】
前記では足弓支持体２００の接触部材２３０の形状が半球であることを例として挙げているが、半円筒や楕円半球など多様な形状で製作するか、実際の大部分の足弓の形状と類似した形態に製作してもよい。また、接触部材２３０の突起２３２の高さや形態を多様にして指圧効果を向上させてもよい。
【００３６】
＜第２実施例＞
【００３７】
図３は、本発明の第２実施例による足弓支持体を示す断面図である。
【００３８】
この実施例は、接触部材３３０自体を回して高さを調節することが困難である場合に適用することができる。
【００３９】
図３を参照すると、実際の足弓と類似した形状（図４参照）を有する接触部材３３０の裏面にはスライダー２４０が結合する。スライダー２４０は、内部側壁にねじ山２４２が形成されたシリンダー状であり、上部のヘッド２４４が接触部材３３０と結合して固定される。
【００４０】
スライダー２４０の内部にはボルト２５０が差し込まれてねじ結合し、ボルト２５０の頭２５１には溝２５４が形成され、この溝２５４を利用してボルト２５０を回転させると、ボルト２５０のねじ山２５２とスライダー２４０のねじ山２４２がねじ結合することでスライダー２４０が昇降する。
【００４１】
ハウジング２１０の底面の中央にはボルト２５０の頭２５１の溝２５４に対応して貫通孔２１６が形成され、この貫通孔２１６に対応してアウトソール１００にも貫通孔（図示せず）が形成されることで、外部からボルト２５０の溝２５４に接近することができる。
【００４２】
ハウジング２１０の内側壁には、ボルト２５０の昇降を制限するためのストッパーリング２１６が差し込まれてもよい。
【００４３】
このような構造の足弓支持体の動作を見ると、着用者がアウトソール１００の底に形成された貫通孔を介して、例えば、ドライバーを利用してボルトの頭２５１の溝２５４を回すとボルト２５０が回転するが、この際、回転しない接触部材３３０に結合したスライダー２４０は回転しないため、ボルト２５０の回転によって上昇するか下降し、足弓支持体の高さが大きくなるか小さくなる。
【００４４】
この実施例において、ハウジング２１０を底面のないシリンダー状で構成する場合には、別途の貫通孔２１６を必要としないこともある。
【００４５】
＜第３実施例＞
図４は、本発明の第３実施例による足弓支持体を示す斜視図及び断面図である。
【００４６】
この実施例は、第２実施例のように接触部材３３０自体を回して高さを調節することが困難である場合に適用することができる。
【００４７】
図４を参照すると、実際の足弓と類似した形状を有する接触部材３３０の裏面には一対の支持ロッド３３３、３３４が形成される。これら一対の支持ロッド３３３、３３４の間隔は、ハウジング２１０の直径より大きければよい。
【００４８】
この実施例によると、ミッドソール１３０には支持ロッド３３３、３３４が差し込まれる案内溝１３４、１３５が形成される。
【００４９】
一方、第１実施例のように、スライダー２２０は円柱状であり、スライダー２２０の上部には大略半球状のヘッド２２４が一体に形成され、接触部材３３０と分離可能になるように結合する。
【００５０】
このような構造の足弓支持体の動作を見ると、着用者が接触部材３３０をスライダー２２０のヘッド２２４から分離した後、スライダー２２０のヘッド２２４を取って既に接地されたハウジング２１０に差し込んで回しながら高さを適切に調節する。
【００５１】
次に、接触部材３３０の支持ロッド３３３、３３４を案内溝１３４、１３５に差し込んだ後、加圧して接触部材３３０とスライダー２２０のヘッド２２４を結合する。
【００５２】
この構造によると、支持ロッド３３３、３３４によって接触部材３３０が回転しないという利点がある。
【００５３】
＜第４実施例＞
図５は、本発明の第４実施例による足弓支持体を示す斜視図である。
【００５４】
この実施例は、接触部材３３０自体を回して高さを調節することが困難である場合に適用することができ、第３実施例の変形された例である。
【００５５】
図５を参照すると、実際の足弓と類似した形状を有する接触部材３３０の裏面にはスライダー２４０が結合する。スライダー２４０は、内部側壁にねじ山２４２が形成されたシリンダー状であり、上部のヘッド２４４が接触部材３３０と結合されて固定される。
【００５６】
スライダー２４０の内部には高さ調節タブ２６０が差し込まれてねじ結合し、高さ調節タブ２６０を回転してスライダー２４０から突出される長さを調節することができる。
【００５７】
次に、既に接地されたハウジング２１０に突出長さが調節されたスライダー２４０を差し込んで足弓支持体２００の高さを調節することができる。言い換えると、高さ調節タブ２６０が突出される長さは、結果的にハウジング２１０内における高さに該当するため、高さが調節されるのである。
【００５８】
一方、接触部材３３０の支持ロッド３３３、３３４は、ミッドソール１３０の案内溝１３４、１３５に差し込まれることで、靴を履いているとき接触部材３３０が回転しなくなる。
【００５９】
＜第５実施例＞
図６は、本発明の第５実施例による足弓支持体を示す断面図である。
【００６０】
この実施例では、前記の第４実施例において、ハウジング２１０を除去した構造を示している。
【００６１】
図６を参照すると、足弓支持体２００は第４実施例のように、接触部材２３０の裏面にスライダー２４０が結合し、スライダー２４０は内部側壁にねじ山が形成され、ここに高さ調節タブ２６０が差し込まれてねじ結合し、高さ調節タブ２６０を回転してスライダー２４０から突出される長さを調節することができる。
【００６２】
足弓支持体２００にはミッドソール１３０の収容溝１３２が収容され、収容溝１３２の入口には側壁内部に支持溝１３６が掘られ、側壁を沿ってリング状に形成される。
【００６３】
この支持溝１３６には、足弓支持体２００を構成する接触部材２３０の縁が強制に圧入されて固定される。
【００６４】
従って、足弓支持体２００の高さ調節タブ２６０が突出される長さを調節した後、足弓支持体２００の接触部材２３０の縁をミッドソール１３０の収容溝１３２の支持溝１３６に強制に差し込んで装着する。
【００６５】
図７は、本発明の第５実施例の変形例を示す斜視図である。
この変形例では、第５実施例にハウジング２１０を適用した構造を示している。即ち、図７を参照すると、ミッドソール１３０の収容溝１３２に底部にフランジ２１８が突出されたハウジング２１０を先に差し込んだ後、高さ調節タブ２６０の突出長さを調節した後、スライダー２４０をハウジング２１０の差し込み、次に足弓支持体２００の接触部材２３０の縁をミッドソール１３０の収容溝１３２の支持溝１３６に強制に差し込んで装着する。
【００６６】
この変形例によると、スライダー２４０がハウジング２１０によって頼もしく支持されることで、ウォーキングの途中足弓支持体２００が揺れることを防止することができる。また、フランジ２１８を適用することで更に大きい面積で支持すると共に、ハウジング２１０のサイズを減らして製造原価を減らすことができるという利点がある。
【００６７】
以上では本発明の実施例を中心に説明したが、当業者の水準で多様な変更を加えることができるということはもちろんである。
【００６８】
例えば、ミッドソールがなくアウトソールのみを具備する種類の靴においては、ハウジングを収容する溝をアウトソールにのみ形成してもよい。従って、通常して足弓支持体が装着される部分を靴本体としてもよい。また、ストッパーなどを具備せず、接着剤などを利用して固定してもよい。
【００６９】
また、前記実施例とは逆に、ハウジングの外側壁にねじ山を形成してスライダーをシリンダー状に構成しても同じ効果を得ることができる。
【００７０】
従って、本発明の権利範囲は上述した実施例に限って解釈されず、以下に記載する特許請求の範囲によって解釈されるべきである。
【図１】
2012517318.tif 000003
【図２】
2012517318.tif 000004
【図３】
2012517318.tif 000005
【図４】
2012517318.tif 000006
【図５】
2012517318.tif 000007
【図６】
2012517318.tif 000008
【図７】
2012517318.tif 000009
【国際調査報告】
2012517318.tif 000010
2012517318.tif 000011
2012517318.tif 000012
2012517318.tif 000013